(57)【要約】【課題】吸引器とチューブとが独立に構成された液体吐出器を提供する。【解決手段】液体吐出器１は、液体が通る吸液チューブ４０、吸液チューブの先端を容器５０内に入れて基端を容器の口部５０ａ内に固定するとともに、口部内に容器の内外を繋ぐ孔部３８を設ける固定具３０、及び口部に固定され、吸液チューブの基端に接続して液体を吸引する吸引器１０を備える。固定具により、吸引器と独立に形成された液体が通る吸液チューブの先端を容器内に入れて基端が容器の口部内に固定されるとともに、口部内に容器の内外を繋ぐ孔部３８が設けられる。この状態で吸引器を口部に固定することで、吸引器が吸液チューブの基端に接続されて、容器内の液体を吸引し吐出することができ、吸引器を口部から外すことで、固定具により口部内に設けられた孔部３８を介して容器外から内に液体を充填することができる。【選択図】図１
2016199276.tif 000002
【特許請求の範囲】
【請求項１】
容器内の液体を吐出する液体吐出器であって、
液体が通るチューブと、
前記チューブの先端を前記容器内に入れて他端を前記容器の口部内に固定するとともに、前記口部内に前記容器の内外を繋ぐ孔部を設ける固定具と、
前記口部に固定され、前記チューブの他端に接続して前記液体を吸引する吸引器と、
を備えることを特徴とする、液体吐出器。
【請求項２】
前記固定具は、前記チューブの他端を保持する受部を有し、
前記吸引器は、前記受部に差し込んで前記吸引器を前記チューブに接続する差込部を有することを特徴とする、請求項１に記載の液体吐出器。
【請求項３】
前記吸引器を、前記口部に気密に固定する蓋部をさらに備えることを特徴とする、請求項１又は２に記載の液体吐出器。
【請求項４】
前記蓋部は、前記容器の口部に形成された雄ネジ形状に螺合する雌ネジ形状を有することを特徴とする、請求項１〜３のいずれか一項に記載の液体吐出器。
【請求項５】
前記容器と、
請求項１〜４のいずれか一項に記載の液体吐出器と、
を備えることを特徴とする液体吐出器付き容器。
【発明の詳細な説明】
【技術分野】
【０００１】
本発明は、容器内の液体を吐出する液体吐出器及び該液体吐出器を備える液体吐出器付き容器に関する。
【背景技術】
【０００２】
容器に入れられた液体状の洗剤、化粧料、園芸用薬剤、化生料等を一定量吸引し、容器外に吐出する液体吐出器、或いはこれを備える液体吐出器付き容器（例えば特許文献１参照）が利用されている。ここで、液体吐出器は、容器内の液体中に先端が挿入されるチューブを有する。容器内に液体を充填する等のために液体吐出器を容器から外すと、液体吐出器とともにチューブが容器内から取り出され、その外に付着した液体がチューブの外壁面をたどって、あるいはその内に残った液体がチューブの内壁面をたどって、液ダレすることがある。
【先行技術文献】
【特許文献】
【０００３】
【特許文献１】特開２００８−２８５１７５号公報
【発明の概要】
【発明が解決しようとする課題】
【０００４】
本発明は、吸引器とチューブとが独立に構成された液体吐出器を提供することを課題とする。
【課題を解決するための手段】
【０００５】
本発明の液体吐出器は、容器内の液体を吐出する液体吐出器であって、液体が通るチューブと、チューブの先端を容器内に入れて他端を容器の口部内に固定するとともに、口部内に容器の内外を繋ぐ孔部を設ける固定具と、口部に固定され、チューブの他端に接続して液体を吸引する吸引器と、を備えることを特徴とする。
【０００６】
この特徴によれば、固定具により、吸引器と独立に形成された液体が通るチューブの先端を容器内に入れて他端が容器の口部内に固定されるとともに、口部内に容器の内外を繋ぐ孔部が設けられる。この状態で吸引器を口部に固定することで、吸引器がチューブの他端に接続されて、容器内の液体を吸引し吐出することができ、吸引器を口部から外すことで、固定具により口部内に設けられた孔部を介して容器外から内に液体を充填することができる。
【０００７】
本発明の液体吐出器は、固定具は、チューブの他端を保持する受部を有し、吸引器は、受部に差し込んで吸引器をチューブに接続する差込部を有することを特徴とする。
【０００８】
この特徴によれば、吸引器の差込部を固定具の受部に差し込むことで、吸引器が、固定具により口部に固定されたチューブに接続される。
【０００９】
本発明の液体吐出器は、吸引器を、口部に気密に固定する蓋部をさらに備えることを特徴とする。
【００１０】
この特徴によれば、蓋部により、吸引器が容器の口部に気密に固定されることで、吸引器を用いて容器内の液体を吸引することができる。
【００１１】
本発明の液体吐出器は、蓋部は、容器の口部に形成された雄ネジ形状に螺合する雌ネジ形状を有することを特徴とする。
【００１２】
この特徴によれば、蓋部を容器の口部に、より気密に固定することができる。また、市販されているペットボトル容器の口部に形成された雄ネジの径は規格化されており、その径に合わせた径の雌ネジを有することにより、本発明の液体吐出器は、市販されているペットボトル容器のほとんど全てに使用することができる。ここで「雄ネジ形状」「雌ネジ形状」は金属ネジをネジ切り加工したものに限定されず、例えばペットボトル容器口部の整形をも含む。
【００１３】
本発明の液体吐出器付き容器は、容器と、本発明の液体吐出器と、を備えることを特徴とする。
【発明の効果】
【００１４】
本発明の液体吐出器によれば、独立に構成された吸引器とチューブとを用いて液体吐出器を構成することが可能となる。
【図面の簡単な説明】
【００１５】
【図１】図１は、液体吐出器の構成を示す図である。
【図２】図２は、液体吐出器の構成各部の詳細構成を示す分解図である。
【発明を実施するための形態】
【００１６】
本発明の一実施形態について説明する。
【００１７】
図１に、本実施形態に係る液体吐出器１の構成を示す。また、図２の分解図に、液体吐出器１の構成各部の詳細構成を示す。なお、図１において、液体吐出器１は、液体５２が入れられた容器５０に取付けられた状態において示されている。容器５０は、洗剤、化生料等の液体５２を入れる容器であり、一例として、有底円筒状の本体及び本体の上側に設けられる口部５０ａ（内径ｗ（図２（Ｅ）参照））を有する。口部５０ａの外面には雄ネジが形成されている。液体吐出器１は、容器内の液体を吐出する器具であり、吸引器１０、キャップ２０、固定具３０、及び吸液チューブ４０を備える。なお、容器５０の形状は、図に示す円筒形状以外のものであってもよい。
【００１８】
吸引器１０は、容器５０内の液体５２を吸い上げ、容器５０外に吐出する器具であり、本体１１、ノズル１２、トリガ１３、及び基筒１４を含む。これらの構成各部は、特に断らない限り、一例として樹脂等を用いて構成することができる。
【００１９】
本体１１は、液体５２を吸引するポンプ（不図示）を有し、また吸引器１０のその他の構成各部を支持する。
【００２０】
ノズル１２は、液体５２を吐出する筒状部材である。液体５２を霧状或いは泡状に噴出するノズルを採用してもよい。
【００２１】
トリガ１３は、弓状に成形され、一端が本体１１の支軸１３ｂに回転可能に固定されている。トリガ１３を本体１１に向けて（図面右側に）引くことにより、駆動部材１３ａを介して本体１１内のポンプが作動する。なお、トリガ１３は、解放されると、付勢部材（不図示）により付勢されて元の位置に戻る。
【００２２】
基筒１４は、ポンプ（不図示）から本体１１の下方に突出する筒状部材である。基筒１４の先端には、図２（Ａ）に示すように、差込部１４ａが設けられている。差込部１４ａは、一例としてゴム、樹脂等を用いて、基筒１４よりも大径の基端及び円錐台状に成形された凸状の先端を有する。なお、差込部１４ａは、後述する受部４２の凹部に差し込むことができればその形状は任意でよい。
【００２３】
上述の吸引器１０の構成において、ユーザによりトリガ１３が引かれることでポンプ（不図示）が作動し、その内部に負圧が生じることで、基筒１４の先端から一定量の液体がポンプ内に吸引され、圧縮され、ノズル１２から吐出される。
【００２４】
キャップ２０は、吸引器１０を容器５０の口部５０ａに気密に固定する蓋部材である。キャップ２０は、図２（Ａ）に示すように、有天円筒状に成形され、その上面中央に吸引器１０の基筒１４が上下に貫通して固定され、その内側に雌ネジ（不図示）が形成されている。キャップ２０の雌ネジを容器５０の口部５０ａの雄ネジに螺合することで、吸引器１０が容器５０の口部５０ａに気密に固定される。それにより、吸引器１０を用いて容器５０内の液体５２を容易に吸引することができる。
【００２５】
なお、本実施形態では、キャップ２０に、容器５０の口部５０ａに形成された雄ネジに螺合する雌ネジを形成することとしたが、容器５０の気密が十分に得られれば、例えばキャップ２０の内径を容器５０の口部５０ａより若干小さく成形し、キャップ２０を口部５０ａに嵌め込むことで、吸引器１０を容器５０の口部５０ａに固定することとしてもよい。
【００２６】
固定具３０は、吸液チューブ４０の上端を容器５０の口部５０ａ内に固定する器具である。固定具３０は、図２（Ｃ）の側面図及び図２（Ｄ）の上面図に示すように、本体３２、フランジ３２ａ、４つの支持部材３４、及び底部３６を有する。
【００２７】
本体３２は、円筒形状を有する部材であり、容器５０の口部５０ａの内径にほぼ等しい外径を有する。
【００２８】
フランジ３２ａは、容器５０の口部５０ａの外径及び本体３２の内径にそれぞれ等しい外径（Ｗ＞ｗ）及び内径を有する円環状の部材であり、その内縁が本体３２の上端に一体的に固定されている。
【００２９】
４つの支持部材３４は、等間隔（すなわち９０度の角度）隔てて配置され、上端を本体３２の下端に接続し、本体３２から下方に延びる他端により底部３６を支持する。なお、支持部材３４は、底部３６を支持することができれば４つに限らず、１以上、好ましくは複数でよい。
【００３０】
底部３６は、後述する吸液チューブ４０のチューブ４４より大径且つ受部４２のフランジ４２ａの外径（Ｄ）より小径の内径ｄ（＜Ｄ）を有する円環状の部材である。
【００３１】
上述の構成の固定具３０において、本体３２、支持部材３４、及び底部３６により４つの孔部３８が形成される。４つの孔部３８により、固定具３０を用いて吸液チューブ４０の上端を容器５０の口部５０ａ内に固定した際に、口部５０ａ内に、吸液チューブ４０以外に容器５０の内外を繋ぐ管路が設けられる。
【００３２】
吸液チューブ４０は、容器５０内の液体５２を吸引器１０のポンプに導く流路を提供する管状部材であり、図２（Ｂ）に示すように、チューブ４４及び受部４２を有する。
【００３３】
チューブ４４は、液体５２が通る管であり、その長さは容器５０の深さに応じて任意に定められる。
【００３４】
受部４２は、チューブ４４の上端に設けられている。受部４２は、一例としてゴム、樹脂、金属等又は差込部１４ａの構成素材と同一の素材を用いて、チューブ４４よりも大径の円筒形に成形される。受部４２の上端には外径Ｄのフランジ４２ａが設けられ、また上端中央にはテーパ状に成形された凹部（不図示）が成形されている。受部４２の凹部に基筒１４の差込部１４ａを差込むことにより、或いは受部４２により差込部１４ａを凹部の内面に当接して受けることにより、基筒１４、すなわち吸引器１０が吸液チューブ４０に接続される。
【００３５】
液体吐出器１の組み立て方を説明する。
【００３６】
まず、固定具３０を容器５０の口部５０ａに固定する。ここで、固定具３０の本体３２を容器５０の口部５０ａ内に嵌入する。フランジ３２ａの外径Ｗが容器５０の口部５０ａの内径ｗより大きいことで（Ｗ＞ｗ）、フランジ３２ａの下面が口部５０ａの上端に当接し、それにより固定具３０が口部５０ａ内の上下方向に位置決めされる。なお、固定具３０の本体３２の外面を容器５０の口部５０ａの内面に接着してもよい。
【００３７】
次に、吸液チューブ４０を容器５０内に入れる。吸液チューブ４０の先端を固定具３０の底部３６を介して容器５０内に入れる。吸液チューブ４０の受部４２のフランジ４２ａの外径Ｄが固定具３０の底部３６の内径ｄより大きいことで（Ｄ＞ｄ）、フランジ４２ａの下面が底部３６の上面に当接して、吸液チューブ４０が固定具３０に支持される。
【００３８】
最後に、キャップ２０を容器５０の口部５０ａに固定する。このとき、吸引器１０の差込部１４ａを吸液チューブ４０の受部４２に差し込み、キャップ２０の雌ネジ（不図示）を口部５０ａの雄ネジ（不図示）に十分に螺合することで、吸液チューブ４０が容器５０内に固定されるとともに、吸引器１０が吸液チューブ４０に接続される。この状態で、吸引器１０を用いて容器５０内の液体５２を吸引し吐出することができる。また、吸液チューブ４０を容器５０内に残して吸引器１０のみを口部５０ａから外すことで、固定具３０により口部５０ａ内に設けられた孔部３８を介して容器５０外から内に液体５２を充填することができる。
【００３９】
以上詳細に説明したように、本実施形態の液体吐出器１は、液体が通る吸液チューブ４０、吸液チューブ４０の先端を容器５０内に入れて基端を容器５０の口部５０ａ内に固定するとともに、口部５０ａ内に容器５０の内外を繋ぐ孔部３８を設ける固定具３０、及び口部５０ａに固定され、吸液チューブ４０の基端に接続して液体を吸引する吸引器１０を備える。固定具３０により、吸引器１０と独立に形成された液体が通る吸液チューブ４０の先端を容器５０内に入れて基端が容器５０の口部５０ａ内に固定されるとともに、口部５０ａ内に容器５０の内外を繋ぐ孔部３８が設けられる。この状態で吸引器１０を口部５０ａに固定することで、吸引器１０が吸液チューブ４０の基端に接続されて、容器５０内の液体を吸引し吐出することができ、吸引器１０を口部５０ａから外すことで、固定具３０により口部５０ａ内に設けられた孔部３８を介して容器５０外から内に液体を充填することができる。
【００４０】
また、液体吐出器付き容器は、容器５０及び本実施形態の液体吐出器１を備える。
【００４１】
本実施形態の液体吐出器１及び液体吐出器付き容器では、吸引器１０と吸液チューブ４０とが独立に構成されているため、吸液チューブ４０を容器５０内に残して吸引器１０のみを容器５０から外すことができる。それにより、吸液チューブ４０からの液ダレが防止される。
【００４２】
なお、本実施形態の液体吐出器１及び液体吐出器付き容器では、固定具３０を容器５０と独立に構成したが、液体吐出器付き容器においては固定具３０を容器５０と一体的に構成することとしてもよい。
【００４３】
また、本実施形態の液体吐出器１では、トリガを引くことでポンプが作動する吸引器を採用したが、ヘッドを押し込むことでポンプが作動する吸引器を採用してもよい。
【産業上の利用可能性】
【００４４】
本発明の液体吐出器は、独立に構成された吸引器とチューブとを用いて液体吐出器を構成するのに好適である。
【符号の説明】
【００４５】
１    液体吐出器
１０    吸引器
１１    本体
１２    ノズル
１３ｂ  支軸
１３    トリガ
１３ａ  駆動部材
１４    基筒
１４ａ  差込部
２０    キャップ
３０    固定具
３２    本体
３２ａ  フランジ
３４    支持部材
３６    底部
３８    孔部
４０    吸液チューブ
４２    受部
４２ａ  フランジ
４４    チューブ
５０    容器
５０ａ  口部
５２    液体
【図１】
2016199276.tif 000003
【図２】
2016199276.tif 000004